(57)【要約】【解決手段】　印刷物がウェブに連続的に印刷される印刷製品のための、かつ／またはそれにおいてクロップマークを設定する方法および装置が提供される。ウェブに印刷するための少なくとも１つの印刷装置対偶が設けられている。長さ方向断裁装置がウェブを第１ウェブストランドおよび少なくとも第２ウェブストランドに断裁する。第１ウェブストランドを少なくとも第２ウェブストランドおよび／または少なくとも１つの他のウェブストランドと収束させて束を形成する収束装置が設けられている。横断ち装置が束を断裁する。クロップマーク設定装置が、束のウェブストランドのそれぞれのための少なくとも１つの偏向装置を備えて設けられている。偏向装置は、束のウェブストランドのための偏向軸を形成しており、ウェブストランドはそれと関係づけられている。偏向装置は、形成された特定の偏向軸が、最大調整経路長さだけ軸方向に対し直角に調整可能であるように移動可能に取り付けられている。各偏向装置の最大調整経路長さは、ウェブストランドのクロップマーク位置を設定するために偏向軸を調整しなければならない分の調整経路長さが、束の全部のウェブストランドの偏向装置の間で分割され得るようなものであり、クロップマーク位置は横断ちに関係している。【選択図】図１
2004075391.tif 000002
【特許請求の範囲】
【請求項１】
　印刷物がウェブに連続的に印刷される印刷製品のための、かつ／またはそれにおいてクロップマークを設定するための方法であって、
　ウェブを第１ウェブストランドおよび少なくとも第２ウェブストランドに長さ方向に断裁する工程と、
　第１ウェブストランドを少なくとも第２ウェブストランドおよび／または少なくとも１つの他のウェブストランドと収束させてウェブストランド束を形成する工程と、
　搬送方向に互いに連続する印刷物間でウェブストランド束を横断ちする工程と、
　収束前に、横断ちに関わるウェブストランドのクロップマーク位置が設定されるように選定される経路長さの変更によって束のウェブストランドの経路長さを調整する工程と、
　第１ウェブストランドの経路長さの変更を、経路長さの変更の最も大きいものが、第１ウェブストランドの経路長さが調整されない場合のものよりも小さくなるように選定する工程とを含む方法。
【請求項２】
　第１ウェブストランドの経路長さの変更は、経路長さの変更の最も大きいものが最小になるように選定される、請求項１記載の方法。
【請求項３】
　経路長さの変更は、束のウェブストランドのそれぞれが経路長さの変更の最も大きいものを縮小および／または最小化するように選定される、請求項１記載の方法。
【請求項４】
　束のウェブストランドのうちの少なくとも１つは収束の前に回転および／または反転され、経路長さの変更は回転および／または反転の前に回転および／または反転されたウェブストランドについて実行される、請求項１記載の方法。
【請求項５】
　第１ウェブストランドは、第２ウェブストランドおよび／または束の少なくとも１つの他のウェブストランドと、回転を伴わずに直接収束されて、横断ちされる、請求項１記載の方法。
【請求項６】
　画像のパターンでウェブに印刷される印刷物のインキを移す印刷シリンダーのカラーマークが、横断ちに関わるウェブストランドのクロップマーク位置を得るためにその設定が第１ウェブストランドの経路長さの変更と連係されるようにして設定される、請求項１記載の方法。
【請求項７】
　クロップマーク設定装置を備える印刷機において、印刷機ha
、
　ウェブに印刷するための少なくとも１つの前記印刷装置対偶と、
　第１ウェブストランドおよび少なくとも１つの第２ウェブストランドへのウェブの長さ方向断裁用の長さ方向断裁手段と、
　第１ウェブストランドを少なくとも第２ウェブストランドおよび／または少なくとも１つの他のウェブストランドと収束させて束を形成する収束手段と、
　束を横断ちするための横断ち手段と、
　束のウェブストランドの各々のための少なくとも１つの偏向手段を備えるクロップマーク設定装置とを含み、
前記偏向手段は束のウェブストランドのための偏向軸を形成しており、ウェブストランドはそれと関係づけられており、
前記偏向手段は、形成された特定の偏向軸が、最大調整経路長さだけ軸方向に対し直角に調整可能であるように移動可能に取り付けられており、前記偏向手段のそれぞれの最大調整経路長さは、ウェブストランドのクロップマーク位置を設定するために偏向軸を調整しなければならない分の調整経路長さが、束の全部のウェブストランドの前記偏向手段の間で分割され得るようなものであり、前記クロップマーク位置は横断ちに関係している、クロップマーク設定装置。
【請求項８】
　前記偏向手段のそれぞれは、前記偏向手段の相互の最大調整経路長さの少なくとも半分である、最大調整経路長さにより調整可能である、請求項７記載のクロップマーク設定装置。
【請求項９】
　前記偏向手段の最大調整経路長さは少なくとも本質的に等しい、請求項７記載のクロップマーク設定装置。
【請求項１０】
　第１ウェブストランドは、回転することなく少なくとも第２ウェブストランドおよび／または少なくとも１つの他のウェブストランドと収束してウェブストランド束を形成する、ダイレクトストランドである、請求項７記載のクロップマーク設定手段。
【請求項１１】
　前記収束手段は第２ウェブストランドまたは束の少なくとも１つの他のウェブストランドのためのターニングバー手段を含み、第２ウェブストランドまたは束の少なくとも１つの他のウェブストランドのための前記偏向手段は、ターニングバー手段の手前で第２ウェブストランドまたは束の少なくとも１つの他のウェブストランドの経路に配置されている、請求項７記載のクロップマーク設定装置。
【請求項１２】
　収束手段は第２ウェブストランドのためのターニングバー手段を含み、第１ウェブストランドのための前記偏向手段および第２ウェブストランドのための前記偏向手段は、ターニングバー手段の手前でウェブストランドの経路の共通部分に配置されている、請求項７記載のクロップマーク設定装置。
【請求項１３】
　第１ウェブストランドのための前記偏向手段および第２ウェブストランドのための前記偏向手段は、ウェブが、長さ方向の断裁前に、両方の前記偏向手段に係回したウェブの引き込みの間に引き込まれ得るように配置されている、請求項１２記載のクロップマーク設定装置。
【請求項１４】
　第１ウェブストランドのための前記偏向手段および第２ウェブストランドのための前記偏向手段は、ウェブストランドの経路が２つの偏向手段の後方においてのみ第２ウェブストランドの経路から分離するように配置されている、請求項７記載のクロップマーク設定装置。
【請求項１５】
　第１ウェブストランドのための前記偏向手段および第２ウェブストランドのための前記偏向手段は、ウェブが、ウェブの引き込みの間に両方の前記偏向手段に係回して同時に案内され得るように配置されている、請求項７記載のクロップマーク設定装置。
【発明の詳細な説明】
【技術分野】
【０００１】
　本発明は、無端に搬送されているウェブが印刷されるまたは、好ましくは複数のそのようなウェブが印刷される印刷機におけるクロップマーク（crop mark）設定装置に関する。さらに本発明は、長さ方向の断裁によって１つ以上のウェブから得られる印刷済みウェブストランドのクロップマーク（crop mark）を設定する方法に関する。印刷機は好ましくは、単数または複数のウェブがロールから連続的に巻き出される巻取紙給紙印刷機である。本発明は、大量新聞発行部数の巻取紙給紙輪転印刷において特に好適に使用される。
【背景技術】
【０００２】
　そうした印刷機の連続的な印刷生産において、ウェブ、または通常は複数のウェブは、互いに隣り合って配置された少なくとも２つの印刷物が印刷される。搬送方向で見ると、ウェブは、同一の印刷物が次々に、または、周期的な配列の２つまたは原理的にそれ以上の異なる印刷物が印刷され得る。その単数または複数のウェブは、互いに隣り合って配置された印刷物間で長さ方向に断裁される。複数のウェブストランドは、連続印刷生産に対応して束に収束され、その特定の束の搬送方向に対し直角に一緒に横方向に断裁されて、個々の印刷製品、例えば新聞や雑誌を得る。一般に、新聞印刷においても複数の束が収束され一緒に横方向に断裁されて印刷製品を得る。束をそれぞれ形成するウェブストランドは、１束のウェブストランド(web strand)の印刷物が搬送方向で互いに連続する２つの連続的なカット間で可能な限り正確に中心合わせされるように収束される。１束のウェブストランドは、各自のいわゆるクロップマークを得るために、すなわちカット間で中心合わせするための適格な操作によって影響される。個々のウェブストランドに関して、これらの操作は、印刷現場と横断ち現場との間でウェブストランドによって送られる経路長さの当該のウェブストランドのクロップマークに特定的になされる変更である。従って、当該のストランドのクロップマークの位置、または簡単に言ってそのストランドのクロップマークは、特定的に変化する経路長さによって設定される。
【０００３】
　クロップマークローラーは、クロップマークの設定にとって申し分ないものと判明している。クロップマークローラーは、通常は１８０°に及びウェブストランドがそれぞれまわりに巻き付く。クロップマークローラーのまわりに巻き付くウェブストランドの経路は、その縦軸に対し直角なクロップマークローラーの調整移動によって伸長または短縮され、それによって当該のウェブストランドのクロップマークは設定される。
【０００４】
　後に収束され長さ方向に折り畳まれる２つまたは３つのウェブストランドが、通常、長さ方向の断裁によってウェブストランドから得られる。収束を可能にするために、ウェブストランドは、１つ以上の適格な回転操作をそれぞれ個別に受ける。ウェブのウェブストランドのうちの１つまたは、複数の印刷済みウェブの場合は各ウェブからの１つのウェブストランドは、いずれの回転操作も受けず、この意味で収束現場に直接供給される。そのようなウェブストランドは以下、ダイレクトストランドと呼ぶ。１つ以上の回転操作を受けるウェブストランドは、区別のために回転されたストランドと呼ぶ。
【０００５】
　本発明はまた、特に上述の形式の印刷機およびウェブ案内方法にも関連している。
【０００６】
　ウェブストランド束のダイレクトストランドのクロップマーク位置が先行技術の印刷機およびウェブストランド束のダイレクトストランドのウェブ案内方法において設定される場合、それらは、カットからのカラーマークのずれを補正するための連続印刷生産における設定である。クロップマーク位置は、束の個々の回転されたストランドについて、新しい印刷生産の最初に当該の回転されたストランドのウェブ長さを調整することによって新たに設定されるかまたは、ダイレクトストランドの位置の変更に適応させて連続印刷生産の間に設定される。それにより、ダイレクトストランドのクロップマーク位置の設定は影響されない。ダイレクトストランドは、ある意味で先導ストランドをなし、それに合わせて束の他の全部のウェブストランドが設定される。
【０００７】
　１つの問題は、新しい印刷生産への印刷機の設定である。設定は、印刷機の始動時または、印刷機を運転させながらの印刷生産の変更時にも必要である。同一の印刷機設定で印刷される複製物の数は減少する傾向にあるのに対して、始動操作の数および、特に印刷機を運転させながらの印刷生産の実行時変更は同程度まで増加しており、すなわち、印刷機のフレキシビリティに課せられる要求条件は増大している。しかし同時に、増大しているコスト圧力のために損紙を低減することもますます重要である。
【発明の開示】
【発明が解決しようとする課題】
【０００８】
　本発明の１つの目的は、新しい印刷生産への切り換えに起因して発生する損紙を低減する、すなわち販売できない印刷製品の数を低減することである。
【課題を解決するための手段】
【０００９】
　本発明によれば、ウェブストランドのクロップマーク位置の設定に要する時間の短縮が損紙の低減に対する実質的な貢献となり得ることが認識された。これは、印刷機を運転し続けたまま１つの印刷生産から新しい印刷生産への実行時変更にあてはまり、そしてまた、特に新しいウェブ先端が新しい印刷生産のために印刷機に引き込まれる場合にもあてはまる。
【００１０】
　本発明の主題は、新しい印刷生産におけるクロップマークの設定、すなわち、新しい印刷製品の１束のウェブストランドのうちのウェブストランドの全部のクロップマーク位置の設定が始まる時間上の時点の設定である。本発明の主題はまた、現在の印刷生産における基本設定の決定後に束のウェブストランドのうちの１つ以上のクロップマーク位置において許容できないずれが生じるのを防止するための連続印刷生産におけるクロップマークの設定も含む。
【００１１】
　本発明が関係する方法において、印刷物はウェブに連続的に印刷される。印刷済みウェブまたは以後印刷されるウェブは、第１ウェブストランドおよび少なくとも第２ウェブストランドに長さ方向に断裁される。ウェブが、新聞の版の巻取紙給紙輪転印刷において通常であるように、供給方向に対し直角に互いに隣り合って配置された２つまたは３つの印刷物を印刷される場合、ウェブはそれに対応して既に印刷済みまたは以後印刷される印刷物間で２つまたは３つのウェブストランドに長さ方向に断裁される。しかし本発明は、この好ましい適用の事例に限定されるものではなく、すなわち、例えば３より多数のウェブストランドへの長さ方向の断裁にも関連している。
【００１２】
　１束のウェブストランドまたは複数のウェブストランドの束が方法の以後の過程で形成される。詳細には、ウェブから得られたウェブストランドは、ウェブストランドの唯一の束または複数のウェブストランド束のうちの１つを、単独でかまたは、別のウェブまたは他の複数のウェブの単数または複数のウェブストランドと一緒に形成し得る。また、ウェブから得られたウェブストランドのうちのいくつかが、単独でかまたは、１つ以上の他のウェブの１つ以上のウェブストランドと一緒にウェブストランド束を形成することもでき、これはまた、ウェブから得られた残りの他のウェブストランドにもあてはまる。ウェブストランドの束または複数のウェブストランド束の形成に対応して、ウェブから得られたウェブストランドは、相互におよび／または他のウェブストランドと収束されてウェブストランド束または複数のウェブストランド束を形成する。
【００１３】
　こうして得られた少なくとも１つのウェブストランド束は、横方向に断裁される。すなわち、２つの連続する印刷物間でウェブストランド束の搬送方向に対し直角に断裁される。この横断ちは、例えば新聞の版の印刷においては通常である通り、複数のウェブストランド束について一緒に実行され得る。しかし本発明はまた、ウェブストランドの単一の束だけが形成され横方向に断裁される場合にも関連する。
【００１４】
　少なくとも１つのウェブストランド束のウェブストランドのクロップマーク位置を設定するために、ウェブストランドの経路長さは、相互に連係された態様で経路長さの変更によって調整される。ウェブストランドの経路長さは、当該のウェブストランドが形成される現場、一般に長さ方向の断裁の現場から、束のウェブストランドが収束する現場まで測定される。経路長さを調整するために束のウェブストランドのうちのそれぞれについて少なくとも１つの偏向手段が、ストランドの経路においてそれが形成される現場とストランドが収束する現場との間に配置される。偏向手段はそれぞれ偏向軸を形成し、そのまわりで関係するウェブストランドが偏向される。偏向軸は経路長さを調整することによって調整可能である。偏向手段は、詳細にはクロップマークローラーかまたは、原理的には、適格な他の形式の偏向手段とすることができる。
【００１５】
　本発明に従って、ウェブストランドの経路長さは調整または変更される。すなわち、ウェブストランドごとに必要な関係する偏向手段または偏向軸の調整経路長さは、ストランド経路長さの変更のうちの最も大きいものが縮小されるように選定される。従って、束のウェブストランドのうちの１つが、そのクロップマーク位置に合わせて他のウェブストランドのクロップマーク位置が設定される先導ストランドとして選定されるのではなく、束のウェブストランドのうちの１つが束の他のウェブストランドのための固定した先導ストランドとして選定された場合よりも調整経路長さのうちの最も大きいものが小さくなるような、そうした調整経路長さが関係する偏向手段の束の各ウェブストランドについて選定される。従って、本発明によればいかなる先導ストランドも確実には事前決定されず、調整経路長さおよび、調整経路長さから生じるストランド経路長さの変更は、最大調整経路長さを最小にする方向で選定される。
【００１６】
　偏向手段または偏向軸の調整経路長さおよびウェブストランドの経路長さの変更は、関係するウェブストランドのクロップマーク位置を設定するために偏向手段のうちの１つが調整されなければならない分の最も大きい調整経路長さが、経路長さの最も大きい変更も生じるように相関づけられていることを前提とする。従って、用語「経路長さの変更」は以下、本発明に従った方法に関して使用し、用語「調整経路長さ」は本発明に従った装置に関して使用される。上述の相関関係を前提とすれば、２つの用語のうちの一方は他方の同義語である。複数の偏向手段のうちの単一の偏向手段が、束のウェブストランドに関する調整経路長さのうちの最も大きいものを有し得る。しかしまた、複数の偏向手段が調整経路長さのうちの最も大きいものによって調整されることも起こり得るので、ここではこの用語は、調整移動の方向に関わらず値に関して最も大きい調整経路長さを指示するために使用される。
【００１７】
　調整経路長さは、調整経路長さのうちの最も大きいものが最小になるように特に好適に選定される。適格なアルゴリズムによって、制御および／または調節手段が、決定から得られた最も大きい調整経路長さが最小化されるという規定により、調整経路長さを束のウェブストランドのうちのそれぞれについて個別的に決定する。また、最適な変法ほど好適ではないが、調整経路長さが、最も大きい調整経路長さの最小化ではなく、そのような最小化の方向で「のみ」選定されることも有利である。例えば束が２つのウェブストランドによってのみ形成される場合、調整経路長さは、調整経路長さの最も大きいものが最小化される最適な実施形態変法の場合と値が等しく、かつ反対の符号を有するように選定される。最小化の場合、ウェブストランドのうちの一方は、決定された経路長さの変更だけ短縮され、他方は同じ経路長さの変更だけ伸長される。次善の実施形態変法では、ウェブストランドのうちの１つ、例えば第１ウェブストランドの経路長さは、最適な実施形態変法よりも小さい程度で変更されるが、両方のウェブストランドの正しいクロップマーク位置を得るために必要なウェブストランドの他方の経路長さの変更、仮定した例の場合、回転されたストランドの経路長さの変更は、その経路長さの変更が第１ウェブストランドについて実行されなかった場合のものよりも短くなるように変更される。束に２より多数のウェブストランドがある場合、これらのウェブストランドのうちの１つ以上の経路長さは伸長も短縮もされないかもしれない。しかしこの状況は、ウェブストランドの一定の初期状態についてのみ、ただし特定の初期状態については最初から固定した先導ストランドが存在し得る態様で生じ得る。調整前に存在する初期状態に依存して、束のウェブストランドのそれぞれは、初期状態から実行されなければならない束のウェブストランドの設定についてその経路長さが変更されないウェブストランドとしてよい。
【００１８】
　本発明によれば、印刷機は束の各ウェブストランドのための偏向手段を含み、前記偏向手段は当該のウェブストランドについて少なくとも１つの横方向に調整可能な偏向軸を形成している。ウェブストランドにつき少なくとも１つの調整可能な偏向軸は、最大調整経路長さの分それ自体に直角に調整可能である。最大調整経路長さは、横方向に調整可能な偏向軸の各々について、調整経路が横方向に調整可能な偏向軸間で分割され得るようなものである。横方向に調整可能な偏向軸のそれぞれの最大調整経路長さは、好ましくは、それらの偏向軸間の調整経路が、単一のウェブから形成された全部のウェブストランドの収束の場合に分割され得るようなものである。横方向に調整可能な偏向軸の最大調整経路長さは、特に好ましくは等しく、その結果、調整経路長さはウェブストランド間で等分に分割され得る。しかしまた、本発明の１つの目標は、たとえ最大調整経路長さが異なるとしても、それにもかかわらず、設定に必要な時間を低減するために妥当な程度まで偏向軸間の調整経路の分割が実行できれば、すでに達成されている。横方向に調整可能な偏向軸の可動性は、少なくとも最大調整経路長さがせいぜい５０％以下しか異ならない、すなわち、最大調整経路長さのうちの最も小さいものが最大調整経路長さの最も大きいものの少なくとも半分であれば、進歩的であると考えられる。印刷製品の回転されないダイレクトストランドまたは複数のダイレクトストランドに関しては、本発明の帰結は、ダイレクトストランドのクロップマーク位置の設定もまた、当該のダイレクトストランドの束のウェブストランドのうちの１つ以上について実行されなければならない最も大きいウェブストランドを縮小または少なくとも最小にするために実行される、ということである。
【００１９】
　最も大きい調整の経路をカバーしなければならない設定部材が、偏向手段によってそれぞれ形成される等速度で動かされるクロップマーク設定部材の場合に束のウェブストランドのクロップマーク位置を設定するために要する設定時間を決定するので、設定時間は、所定の先導ストランドによる従来の設定方法に比べて本発明によって短縮される。クロップマーク位置を設定するために必要な設定時間が短縮される程度まで、印刷機の付加的な設定、例えばインキトランスファ印刷シリンダーの周方向見当の設定も設定時間内に同時に実行できると仮定すれば、損紙も同様に低減することができる。
【００２０】
　上で最適であると述べた経路最小化の実施形態は、厳密に言えば、クロップマーク設定部材の設定速度が等しい場合にのみ、実際に最適である。しかし、そのとおりである必要はない。クロップマーク設定部材の設定速度を好適に変更し、一定の作業パラメータの関数として、例えばウェブの速度、ウェブ材料の特性、例えば弾性係数および／またはウェブ厚さの関数として、および／またはウェット印刷の場合のストランドの水分の関数として、適応された速度で調整を実行することができる。
【００２１】
　さらに、これに関して指摘しておくべきことは、クロップマーク設定部材のそれと等しい設定速度でストランドの経路長さを変更しないことが特に有利であるとも考えられることである。従って、経路長さが最も大きい量だけ変更されるウェブストランド束のストランドの経路はまた、好ましい実施形態に従った最も大きい設定速度で変更される。最も大きい値を有する経路長さの変更が、束の１つのウェブストランドの短縮および束の別のウェブストランドの長さの増大であれば、短縮は最も大きい設定速度で好適に実行される。従って、その場合に設定時間が最小化され得ることから、このような工程の態様では縮小またはたとえ最小化の後でさえ、最も大きい変更となるような経路長さの変更が短縮であることが特に有利である。従って、経路長さの変更は上でそれらの値に関してのみ検討し、経路長さの特定の変更の符号は検討しなかったが、これは、厳密に言えば、経路長さの変更が対応するクロップマーク設定部材の同じ設定速度で実行されるという前提の下でのみあてはまる。
【００２２】
　装置に関して言えば、上述の検討事項の帰結は、偏向手段の形態のクロップマーク設定部材が可変設定速度で好適に駆動されるということである。クロップマーク設定装置はそれに対応して制御手段を含み、それは調節手段に拡張することもでき、後者は、設定速度のそのような変動を可能にし、記憶され、選定または設定された生産コンフィギュレーションに基づき相応にストランドについて個別的に最適な設定速度を好適に計算するかまたは、設定部材を相応に制御または調節するのが好ましい。
【００２３】
　束の回転されたストランド、すなわち束が形成される前に回転されるウェブストランドのための偏向手段は、その回転されたストランドのためのターニングバーの領域の手前に好適に配置される。１つのウェブから得られる１つのウェブストランドまたは複数のウェブストランドが回転されずに束に供給される場合、そうしたダイレクトストランドのための偏向手段は、回転されたストランドの偏向手段の近傍の空間に好適に配置される。
【００２４】
　ウェブのウェブストランドのための偏向手段は、本発明の好ましい実施形態では、まだ長さ方向に断裁されていないウェブが偏向手段のまわりに同時に引き込まれ、その結果、印刷機によるウェブの引き込みが著しく容易にされ得るように、好適に配置される。これを助成するために、ウェブのウェブストランドのうちの単一のものだけが巻き付くようないかなる他の偏向手段も偏向手段間に配置されない。それらは、ウェブの経路のいずれにおいてもウェブのいかなる他の偏向手段もそれらの間に配置されないという意味で、互いに隣り合って好適に配置されるといってよい。長さ方向の断裁は、そのようにして形成されたクロップマーク設定装置によってウェブが引き込まれ時にのみ、ウェブの引き込みの間に好適に実行される。
【００２５】
　２つの偏向手段が空間的に互いに近いウェブストランドに対し直角に配置される実施形態において、それらはフレームの一方側だけで好適に支持され、それらはフレームの各自の他方側の方向にそれぞれ自由端を備えて延出する。２つの偏向手段間で生じる相対的な調整移動により、２つの偏向手段は、それらが互いに整列される位置に好適に到らしめられ、引き込まれるウェブのための円筒形の平滑で一様な表面を好適に形成することができる。１つのウェブから３つのウェブストランドが形成される場合、第３のストランドのための偏向手段はターニングバーの手前に同様に配置され、詳細には、第３の偏向手段は他の２つのものと隣り合って配置され得る。
【００２６】
　本発明を特徴づける新規な各種の特長は、この開示に付属しその一部をなす請求項において詳細に指摘されている。本発明、その運用上の利益および、その使用によって達成される特定の目的をより良好に理解するために、本発明の好ましい実施形態を例証する添付図面および記述事項について説明する。
【発明の実施の形態】
【００２７】
　図面について詳細に説明する。図１は、新聞印刷用の巻取紙給紙輪転印刷機を通るウェブＢの経路を示している。ウェブＢは、ロールチェンジャー１に設置されているロールから巻き出され、搬送方向Ｆで印刷装置対偶２内を送給される。印刷装置対偶２においてそれは両面に印刷される。印刷装置対偶２は２本のゴム胴２ａを含み、それらの間にウェブＢが通過するための印刷ギャップが形成される。版シリンダー２ｂがそれぞれゴム胴２ａと関係づけられている。版シリンダー２ｂは、画像のパターンに印刷インキが塗布された各自の印刷物をゴム胴２ａに転写し、それらによって印刷物は最終的にウェブＢに印刷される。ゴム胴２ａは好ましくは互いに機械的に結合されておらず、それぞれ別個の駆動モータによって同期して駆動され、それらは転じて機械的歯車機構によって関係する版シリンダー２ｂをそれぞれ駆動する。版シリンダー２ｂは、各自の円周にシリンダーの縦方向で互いに隣接して少なくとも２つの版を保持し、それらの版の印刷物は対応して互いに隣り合ってウェブＢに印刷される。単一の版または、通例２つの版または、原理的にそれ以上の数の版が、版シリンダー２ｂにその周方向に次々と設けることができる。シリンダーの縦方向で見た時に、版は新聞の開いたページの幅を有する。
【００２８】
　個々の印刷複製物、例示実施形態では新聞複製物を形成するために、ウェブＢは、印刷後に長さ方向断裁手段によって印刷物間で長さ方向に断裁される。長さ方向断裁手段は、断裁ローラー３ａおよびカウンタローラー３ｂによって形成され、それらはウェブＢの片面側に互いに反対側に配置されている。２つのウェブストランドＢｌおよびＢ２（以下、第１ウェブストランドＢｌおよび第２ウェブストランドＢ２と称する）が長さ方向の断裁によってウェブＢから得られる。ウェブストランドＢｌおよびＢ２はその後、引張りローラー４を介してクロップマーク設定装置１０に供給される。ウェブストランドＢｌおよびＢ２の経路は、クロップマーク設定装置１０からの送出後に別れる。第１ウェブストランドＢｌは、クロップマーク設定装置１０から、好ましくはフォーマーとして設計されている長さ方向折り畳み手段９に、回転または反転操作を伴わずにウェブガイド手段だけを経て導かれる。第２ウェブストランドＢ２は、クロップマーク設定装置１０からターニングバー手段８へと送出される。ターニングバー手段８を通過する間、第２ウェブストランドＢ２は回転および／または反転され、その後、例示実施形態では２つのウェブストランドＢｌおよびＢ２だけからなるウェブストランド束を形成するために第１ウェブストランドＢｌと互いに収束される。しかし、別のウェブまたは複数の他のウェブの１つ以上の他のウェブストランドを長さ方向折り畳み手段９の手前で２つのウェブストランドＢｌおよびＢ２と一体にすることも可能である。束において互いに重なって位置するウェブストランドＢｌおよびＢ２は、長さ方向折り畳み手段９を走行する間に一緒に長さ方向に折り畳まれ、横断ち手段２５に供給される。横断ち手段２５は詳細には、新聞の巻取紙給紙輪転印刷において通常使用されている折り装置の切断シリンダーとしてよい。長さ方向に折り畳まれ横断ちされた印刷製品の個々の複製物は、Ｐで指示されている。それらが例示実施形態と同様に新聞複製物であれば、それらはまた、横断ちの後に横折りもされて最終的に新聞複製物を得る。例えば、ウェブストランドＢｌおよびＢ２よりなるウェブストランド束が横断ちの後に印刷製品Ｐをすでに形成し得るとしても、同様に形成された付加的なウェブストランド束が通常、ウェブストランド束Ｂ１／Ｂ２と一体にされ、複数のウェブストランド束はその後、横断ち手段２５において横断ちされる。
【００２９】
　ウェブストランドＢｌおよびＢ２の印刷物が必ず横断ち手段２５の連続するカットの間に位置するように来て、実際の動作においてカット間で正しく中心合わせされる、すなわち、それらが共通のクロップマークに関して十分な精度で位置決めされることは、クロップマーク設定装置１０によって保証される。ウェブストランドＢｌおよびＢ２の印刷から長さ方向折り畳み手段９における収束現場までの異なる経路および、恐らく周方向で版シリンダーに互いに隣り合って配置された版のずれ、すなわち搬送方向Ｆでの第２ウェブストランドＢ２の印刷物に対する第１ウェブストランドＢｌの印刷物のずれは、この位置決めのために補正されなければならない。そうしたずれは、印刷装置対偶のインキトランスファシリンダーのチャネルビートによるバランス誤差を低減するために新聞印刷において普通である。さらに、版シリンダーの円周によって最終的に印刷機制御装置において表現される、搬送方向Ｆで測定される印刷物の長さも考慮されるべきである。クロップマーク位置に関連する長さの差異が、縦方向伸びの差異のためにウェブストランドＢ１およびＢ２の異なる経路により実用に関わる程度にまで進展した場合、クロップマークに影響を及ぼすそうした長さの差異もクロップマーク設定装置１０によって補正される。様々な影響因子が、ウェブストランドＢｌおよびＢ２の印刷物の位置を正しいクロップマーク位置から逸脱させる原因となる。そうした逸脱を以下、簡単のために位置の相違と呼ぶ。
【００３０】
　クロップマーク設定装置１０は、２つの偏向手段、すなわち第１偏向手段１１および第２偏向手段１２とともに、偏向手段１１および１２への入口における偏向ローラー５および、偏向手段１１および１２からの出口における別の偏向ローラー６を備える。
【００３１】
　２つのウェブストランドＢ１およびＢ２は、入口偏向ローラー５および出口偏向ローラー６の周囲に、すなわち互いに隣り合って平行に巻き付く。ウェブストランドは出口偏向ローラー６において別れる。第１ウェブストランドＢｌは、回転または反転操作を伴わずにターニングバー手段８の領域を通過する。従って、第１ウェブストランドＢ１はダイレクトストランドとも呼ぶことができる。第２ウェブストランドＢ２は、出口偏向ローラー６から入口ローラー７を経てターニングバー手段８のターニングバー面に走行し、そこでウェブの対応するガイドによって回転および／または反転されて、その後、第１ウェブストランドＢｌと収束される。従って、第２ウェブストランドＢ２は、回転または反転されたストランドとも呼ぶことができる。
【００３２】
　クロップマーク設定装置１０を通過する間、第１ウェブストランドＢｌは第１偏向手段１１によって案内され、第２ウェブストランドＢ２は第２偏向手段１２によって案内されて、それぞれの偏向手段１１または１２によって形成される偏向軸に関して偏向される。入口偏向ローラー５および出口偏向ローラー６は、偏向手段１１および１２に関して、第１ウェブストランドＢ１が第１偏向手段１１に、また第２ウェブストランドＢ２が第２偏向手段１２にそれぞれ１８０°だけ巻き付き、結果的にウェブストランドＢｌおよびＢ２が各自の偏向手段１１または１２に平行に入って出るように配置されている。２つの偏向ローラー５および６は、固定であるが回動可能に取り付けられたローラー本体である。偏向手段１１および１２も同様に、回動可能に取り付けられたローラー本体によってそれぞれ形成されている。両方の偏向手段１１および１２は、同時に偏向軸も形成する各自の回転軸に対し直角な共通の移動軸に沿って直線的に共通の移動面で前後に移動可能に取り付けられている。可動性の方向（移動軸）は、入口偏向ローラー５から偏向手段１１および１２へ、そして偏向手段１１および１２から出口偏向ローラー６へと走行するウェブストランドＢｌおよびＢ２に平行である。交互可動性の方向は、それぞれ偏向手段１１および１２における両矢印で示されている。
【００３３】
　ターニングバー手段８の手前での第２ウェブストランドＢ２、すなわち回転されたストランドの経路におけるクロップマーク設定装置１０の構成配置は、クロップマーク位置に影響するこのストランドの偏向手段１２が、第２ウェブストランドＢ２の幅で作ることができ、ターニングバー手段８の後方における従来の構成配置のように、ウェブストランドの２倍の幅を有する必要がない、という利益を有する。さらに、回転および／または反転操作が実行される前の第２ウェブストランドＢ２のクロップマークの設定は、第２ウェブストランドＢ２のクロップマーク設定装置１０の直後の新しいウェブの先端の機械的取入れを可能にする。
【００３４】
　図２は、機械的な、この意味で自動的なウェブ取入れシステムのガイドウェイ１７を示している。ガイドウェイ１７は、ウェブガイド手段の隣の一方側に配置され従動取入れ手段を案内するために使用される、ガイドレールによって形成されている。詳細には、ガイドウェイ１７は、クロップマーク設定装置１０の偏向手段１１および１２のまわりを走行している。さらに、ガイドウェイ１７は、入口偏向ローラー５および出口偏向ローラー６のまわりから、さらに第１ウェブストランドＢ１の経路に沿って走行している。図２に示す通り、新しいウェブＢが引き込まれる際、そのウェブの先端は、ガイドウェイ１７に沿って断裁ローラー３ａとカウンタローラー３ｂとの間を通り、引張りローラー４、入口偏向ローラー５を係回し、２つの偏向手段１１および１２に導かれ、それらを係回した後そこから再び戻り、出口偏向ローラー６に係回し、以後、第１ウェブストランドＢｌの経路に沿って引張られる。
【００３５】
　図３は、その第１ウェブストランドＢ１の完全な経路を経た機械的引き込み直後のその状態のウェブＢを図示している。長さ方向断裁手段のローラー３ａおよび３ｂはこの状態で互いに向けて動かされ、ウェブＢはその印刷物の間で長さ方向に断裁される。ウェブ先端が、例えば長さ方向の断裁後に手作業で引き裂くことによって第２ウェブストランドＢ２について形成された後、第２ウェブストランドＢ２の先端は、出口偏向ローラー６からターニングバー手段８の入口ローラー７を経て、ターニングバー手段８を介して下流のウェブガイド手段に手作業で引き込まれる。クロップマーク設定装置の偏向手段を経た手作業での引き込みはなくなり、これは時間に関する利益を与え、引き込み誤りの低減に寄与する。
【００３６】
　図４は、長さ方向の断裁後、第２ウェブストランドＢ２の先端の形成前のウェブＢを図示している。
【００３７】
　図１は制御調節手段も図示しており、それは２つの偏向手段１１および１２の調整移動を制御および調節するために使用される。制御調節手段は、２つのセンサ２３および２４、制御調節部材２０および、２つのモータ駆動最終制御要素２１および２２を含む。センサ２３はその下を通って走行する第１ウェブストランドＢｌの印刷物の位置を検出し、センサ２４はその下を通って走行する第２ウェブストランドＢ２の印刷物の位置を検出する。センサ２３および２４の位置信号は制御調節部材２０に送られる。制御調節部材２０は、適格なアルゴリズムによってその２つのセンサ信号を計算し、それに基づき所要の入力信号との比較よって最終制御要素２１および２２のための設定信号を形成する。最終制御要素２１は第１偏向手段１１と結合され、最終制御要素２２は第２偏向手段１２と結合されている。最終制御要素２１および２２は、制御調節部材２０によって形成された設定信号に対応して偏向手段１１および１２に作用する。すなわちそれらは、それらの偏向手段のそれぞれの共通の移動軸に沿って偏向手段１１および１２の調整移動を生じる。連続印刷運転の間に、制御調節部材２０は、ウェブストランドＢｌおよびＢ２のうちのそれぞれについて正しいクロップマーク位置を設定するためにセンサ２３および２４ならびに最終制御要素２１および２２とともに調節ユニットを形成する。これらの部材は、特に新しい印刷生産が開始される時に基本設定が得られるまで、制御調節ユニットを形成する。
【００３８】
　図３および４は、クロップマーク設定装置１０の２つの異なる状態においてではあるが、クロップマーク設定装置１０およびその隣接環境を立体図として同じ視角で図示している。それらの状態は、偏向手段１１および１２が互いに対してとる位置により異なっている。ストランドの幅を有する、それぞれ正円柱形の平滑なローラー本体としての２つの偏向手段１１および１２の設計を特に認めることができる。ストランドの幅を有するローラー本体としての設計により、偏向手段１１および１２は、互いに隣り合って狭い間隔で配置され得る。偏向手段１１および１２は、図３に示す通り、それらがウェブＢの搬送方向Ｆに関して同じ高さを有するように、特に好ましくは、それらが軸方向に連続的な態様で平滑で一様なローラー本体を形成しさえするように、移動可能に配置取付される。２つの偏向手段１１および１２によって形成されたローラー本体は、新しいウェブの引き込みにおける単純な偏向ローラーをともに形成する。ローラー本体の自由端間の不可避的な間隙は、ウェブＢの引き込みについて無視できる程度の許容差内に狭く保たれる。ローラー本体はこの意味で一様である。偏向手段１１および１２によって形成された偏向軸は、第１の状態で整列される。第１の状態において、偏向手段１１および１２は互いに対して各自の初期基本位置をとり、その状態で自由先端を有するウェブが引き込まれる。
【００３９】
　偏向手段１１および１２は、最終制御要素２１および２２によって第１の状態から反対方向に互いに離れるように、それぞれの偏向軸が互いに平行に最大距離でずれている例えば図４に示された第２の状態に移動され得る。図示された第２の状態において、偏向手段１１および１２は、第１ウェブストランドＢｌの経路が最小長さを有し、第２ウェブストランドＢ２の経路が最大ウェブ長さを有する位置をとる。偏向手段１１および１２はまた、それがクロップマーク規定に必要とされる場合、それらが第１の状態をとる位置から各自の２つの他方の極端位置へと移動することもできる。当然、中間状態も同様に、好ましくは連続的に設定され得る。
【００４０】
　調整移動を実現するために、偏向手段１１および１２は、移動軸に沿ったフレームのそれぞれ片側で互いに反対方向を向いている各自の外側軸端で直線状に案内されるように取り付けられている。第１偏向手段１１が取り付けられているフレームの側部は１４で指定されており、第２偏向手段１２が取り付けられているフレームの側部は１６で指定されている。フレーム側部１４および１６はそれぞれで、移動軸に平行であるガイドウェイを形成している。偏向手段１１および１２は２つのキャリッジ１３および１５の１つに回動自在に取り付けられており、キャリッジはフレーム側部１４または１６により形成されたガイドウェイによって直線状に案内される。２つのキャリッジ１３および１５は、各自のフレーム側部１４および１６への偏向手段１１および１２の堅牢な取付を保証する。偏向手段１１および１２によって形成される偏向軸は、フレーム側部１４および１６によって形成されたガイドウェイとそれぞれ直角をなす。
【００４１】
　偏向手段１１および１２の調整可能性は、最終制御要素２１および２２とのそれらの取付および結合に起因して、２つのウェブストランドＢｌおよびＢ２のクロップマークを設定するために必要な調整移動が、偏向手段１１および１２の間で、好ましくは少なくとも本質的に半分に、特に好ましくは正確に半分に分割されるようなものである。偏向手段１１および１２の調整経路の最大長さはそれに対応して等しい。偏向手段１１および１２が直接互いに隣り合って好適に配置されているため、調整経路は事実上等しい。すなわち、第１偏向手段１１によって形成された偏向軸および第２偏向手段１２によって形成された偏向軸は、２つの等しい外側極端位置の間で前後に移動し得る。従って、２つの偏向手段１１および１２は、説明した理想的な場合には等価である。
【００４２】
　第１偏向手段１１の調整可能性は、ダイレクトストランドおよび回転されたストランドのクロップマークを設定するための、すなわちウェブストランドＢｌおよびＢ２を制御および／または調節するための新しい可能性を開く。
【００４３】
　クロップマークを設定する時、ダイレクトストランドと回転されたストランドとの間にその相違が存在するそれぞれの印刷物の位置の相違は、従来、回転されたストランドのウェブストランドの長さを変更することによってのみ補正される。それに対して、ダイレクトストランドの良好な見当にある印刷物の位置決めは印刷装置対偶によって保証される。ダイレクトストランドの経路長さの調整はせいぜい制限された範囲までしか実行されず、その調整は、他のウェブストランドのクロップマークまたは束の複数の他のウェブストランドのクロップマークに関しては実行されず、横断ち手段でのカットの位置に関してのみ実行される。ストランドの経路長さは、本発明の意味では、その形成から、すなわちストランドＢ１およびＢ２における長さ方向の断裁現場から始まり収束までの当該のストランドの経路長さとして定義される。先行技術の設定工程では、ダイレクトストランドは束の先導ストランドであって、それに合わせて束の他のウェブストランドは調整される。束の他のウェブストランドまたは複数の他のウェブストランドの場合、クロップマーク設定のこの方式は、設定に使用されるそれぞれの偏向手段に長い調整経路を必要とする。調整経路は一般に、おおよそ２００ｍｍ〜４００ｍｍの大きさである。他方、調整移動の速度は限定されている。従って、経験が示すところでは、直線状の見当は、そして偏向手段１１および１２のそれぞれはそのような直線状の見当であるが、ウェブ１メートルあたり最大１ｍｍ分ストランドの経路を伸長し得る。例えば、印刷生産を中断なく稼動させたままある印刷生産を別の印刷生産に切り換えるために、３００ｍｍの調整経路すなわち見当経路が必要な場合、クロップマークが再調整される前に少なくとも３００ｍのウェブが印刷機内を走行する。印刷製品が、見積りを簡単にするためにその長さが１ｍであると仮定した新聞複製物であれば、新しいクロップマークは３００印刷部数の後にようやく設定されることになる。新しい生産の初めの３００印刷部数は損紙である。
【００４４】
　しかしここで、クロップマークを設定するために必要な調整移動は、ダイレクトな第１ウェブストランドＢｌの偏向手段１１の特殊な調整可能性のために、２つのウェブストランドＢｌおよびＢ２間で分割することができる。より一般的に言えば、ウェブストランド束の回転されたストランドの調整経路は、ダイレクトストランドのためのクロップマーク設定部材、例示実施形態では第１偏向手段１１によって引き受けられるその分だけ、好ましくは回転されたストランドの調整経路の半分だけ、減じられる。所要の全体の調整経路は、好ましくは等分に分割される。ダイレクトストランドが複数のウェブストランドと収束して束を形成する場合、調整経路は好ましくは、収束するウェブストランド間で可能な限り等分に分割される。調整は、クロップマークの設定について等しい調整速度の前提の下で設定時間が最小になるという最適化戦略の下で有利に実行される。
【００４５】
　正確には、この設定の概念は、本発明に従ったクロップマーク設定装置１０によって具体化される。第２偏向手段１２の調整移動によって第２ウェブストランドＢ２のクロップマークの全体の位置の相違に耐える代わりに、調整移動の一部、好ましくは半分が第１偏向手段１１に移される。第２ウェブストランドＢ２の偏向手段１２が、ウェブストランドＢｌおよびＢ２間の６００ｍｍの位置の相違を補正するために第２ウェブストランドＢ２のクロップマークの排他的な設定の場合にその移動軸に沿って３００ｍｍ調整しなければならない場合、偏向手段１１および１２について、それらが調整前にとっていた各自の開始位置から５０：５０の分割の場合には１５０ｍｍの調整経路を要するにすぎない。第１ウェブストランドＢｌの経路は、第２ウェブストランドＢ２の経路が短縮されるのと同じ分だけ長くされる。偏向手段１１および１２が調整される開始位置および行うべき経路長さの変更に応じて、逆方向での設定、すなわち第１ウェブストランドＢ１の経路の短縮および第２ウェブストランドＢ２の経路の伸長が、時として有利となることもある。第２偏向手段１２の調整経路の長さの縮小はまた、印刷生産を継続しながらある印刷製品から別のものに切り換える際にも、損紙が著しく低減され得ることから、特に有利である。
【００４６】
　しかし、新しいクロップマークの設定は、単数または複数のカラーマークが調整前にカットと見当が合っていたとしても、その経路長さの変更のために第１ウェブストランドＢｌがカットと見当が合わないという結果をもたらし得る。ダイレクトな第１ウェブストランドＢ１は、別の方法で、例えばウェブＢのためのコンペンセータローラーによってか、または好ましくはウェブＢにインキを写すシリンダーの周方向見当の連係した調整によりカットと見当を合わせることができる。横断ち手段もまた、ウェブストランドＢｌおよびＢ２の経路長さの変更に合わせて調整され得る。インキトランスファシリンダーおよび横断ち手段の周方向見当は両方とも、必要に応じて連係した態様で調整することができる。見当合わせのこの部分は、同じウェブＢの全部のウェブストランドＢｌおよびＢ２ならびに束の全部のウェブストランドに関して一緒に実行される。ウェブとウェブおよびストランドとストランドの見当合わせは、束ごとのカットについて互いに対応して連係され、好ましくは同時に実行される。これらの付加的なクロップマーク設定部材による見当合わせに関して例示実施形態に基づいて上述したことは、本発明の一般的事例にもあてはまり、その場合、検討しているウェブストランド束は、ウェブストランドＢｌおよびＢ２または、ウェブストランドＢｌおよびＢ２の一方だけではなく、１つまたは複数の付加的なウェブストランドも含む。
【００４７】
　本発明は、図１に基づき印刷装置対偶の説明のために述べた通り、印刷装置対偶の単一の印刷ギャップにおける片面単色印刷または両面印刷のための印刷機についてさえもすでに有利である。印刷機は、この形式の複数の印刷装置対偶、すなわちラバー・オン・ラバー型の印刷装置対偶を有することも、かつ／または別の形式、例えばサテライト型印刷装置対偶さえ有することができ、また、異なる形式の印刷装置対偶を配列し動作させ、ウェブＢを多色で印刷する、または、複数のウェブＢを単色または多色で印刷するようにさせることができる。ウェブに接触しウェブにインキを印刷するシリンダーの各々は、好ましくはそれぞれ別個のモータによって駆動され、当該のシリンダーの必要な同期は、機械的にではなく例えば電子的に、信号によって実行される。印刷位置を形成するこの態様は、カラーマークの調整に関して有利であり、それによりカットに対するダイレクトストランドＢｌの位置の変更が好適に補正される。本発明に従った１つのクロップマーク設定装置１０が複数のウェブのうちのウェブの個々について好適に配置され、それもまたこの設定装置の付加的な特長を好適に有する。
【００４８】
　例えばウェブストランドＢ１およびＢ２が第３ウェブストランドＢ３と収束されて束を形成する場合、そしてカットとの第２ウェブストランドＢ２の位置の相違が例えば３００ｍｍ、カットとの第３ウェブストランドＢ３の位置の相違が例えば４００ｍｍであり、第１ウェブストランドＢｌが例えば測定時点で正しいクロップマーク位置をとっている、すなわち位置の相違が「０」であるとした場合、従来の設定工程の場合に必要なストランドの経路長さの変更は、第２ウェブストランドＢ２について３００ｍｍであり、第３ウェブストランドＢ３について４００ｍｍであるが、第１ウェブストランドＢｌについてはいかなる補正も必要ではなく、従って第１偏向手段１１の調整経路は「０」となるであろう。ストランドの経路長さの最も大きい変更および当該の偏向手段の最も大きい調整経路長さは、第３ウェブストランドＢ３について必要である。このウェブストランドの偏向手段は、その初期位置から最も大きい調整経路長さだけ動かさなければならない。所要の合計設定時間は、第３ウェブストランドＢ３のための偏向手段を、それが設定前にとっていた初期位置から、ウェブの経路長さを４００ｍｍ変更するために必要な調整経路長さの分だけ動かすために必要な時間に対応する。
【００４９】
　この例において両方のウェブストランドＢ２およびＢ３の経路を短縮しなければならないとすれば、第１ウェブストランドＢｌの経路長さは、本発明に従った設定工程の最適な実施形態変法において２００ｍｍ長くされ、調整経路長さのうちの最も大きいものは最小化される。第２ウェブストランドＢ２の経路はそれに対応して、３００ｍｍではなく１００ｍｍだけ短縮すればよい。しかし、ウェブ経路長さのうちの最も大きいものの変更、すなわち第３ウェブストランドＢ３のそれは、特に顕著に縮小される。第３ウェブストランドＢ３に依然必要な経路長さの短縮は、もはや４００ｍｍではなく２００ｍｍにすぎない。これは、この例において、第３ウェブストランドＢ３の経路長さの変更の最小値に一致する。例示実施形態に基づいて説明した偏向手段の実施形態では、偏向手段のうちの１つが調整されなければならない調整経路長さの最も大きいものは１００ｍｍである。第１偏向手段１１は、この場合、当該のストランドの経路を伸長するために１００ｍｍ調整しなければならず、第３ウェブストランドＢ３の偏向手段は、当該のストランドの経路を等量分短縮するために１００ｍｍだけ同様に調整しなければならない。
【００５０】
　ウェブ経路長さの変更の最も大きいものおよび調整経路長さの最も大きいものが上記の例では最小化された。しかし、本発明はそのような絶対的最小化に制限されるものではなく、設定工程の次善の実施形態変法も範囲としている。この例に関して、第１ウェブストランドＢｌの経路を例えば１５０ｍｍだけ伸長し、対応して第２ウェブストランドＢ２の経路を１５０ｍｍ、第３ウェブストランドＢ３の経路を２５０ｍｍずつ短縮して全部の３つのウェブストランドＢｌ、Ｂ２およびＢ３をクロップマーク位置へもたらすことも、同様にやはり本発明の範囲に含まれる。
【００５１】
　上述の例における第３ウェブストランドＢ３は、第１ウェブストランドＢ１および第２ウェブストランドＢ２と同じウェブＢから長さ方向の断裁によって得られるウェブストランドとしてよい。しかし、第３ウェブストランドＢ３は、他の２つのウェブストランドＢ１およびＢ２と同じウェブＢから得なければならないわけではなく、別のウェブからの長さ方向の断裁によって得ることもできる。それは、原理的に、その幅のウェブストランドのロールから直接巻き出すことさえできる。最後に、同じウェブＢから得られたウェブストランドＢｌおよびＢ２を収束する必要もなく、ウェブストランドＢｌおよびＢ２のそれぞれを、１つのウェブストランドとだけ、または他の印刷済みウェブの複数のウェブストランドと収束させてウェブストランド束をそれぞれ形成することもできる。本発明に従った設定工程および、ターニングバー前のウェブストランドの個別または全部のクロップマーク設定部材の本発明に従った構成配置、さらにまた、空間的に相互に近接して離隔された位置でそれぞれのストランドの個々のウェブに設けられたクロップマーク設定部材の構成配置は、ウェブストランド束の形成につながる多様なウェブ案内パターンにおいて有利である。
【００５２】
　本発明の原理の適用を例証するために本発明の特定の実施形態を詳細に図示説明したが、本発明はそうした原理を逸脱することなく別様に実施し得ることが理解されるであろう。
【図面の簡単な説明】
【００５３】
【図１】ターニングバー手段の手前に配置されたクロップマーク設定装置を備える印刷機を示す略図である。
【図２】第１の状態にあるクロップマーク設定装置の概観を示す側面図である。
【図３】第１の状態にあるクロップマーク設定装置を示す透視図である。
【図４】第２の状態にあるクロップマーク設定装置の透視図である。
【符号の説明】
【００５４】
　１　ロールチェンジャー
　２　印刷装置対偶
　２ａ　ゴム胴
　２ｂ　版シリンダー
　３ａ　断裁ローラー
　３ｂ　カウンタローラー
　４　引張りローラー
　５　入口偏向ローラー
　６　出口偏向ローラー
　８　ターニングバー手段
　９　長さ方向折り畳み手段
　１０　クロップマーク設定装置
　１１、１２　偏向手段
　１３　キャリッジ
　１４、１６　フレーム側部
　１７　ガイドウェイ
　２０　制御調節部材
　２１、２２　最終制御要素
　２３、２４　センサ
　２５　横断ち手段
　Ｂ　ウェブ
　Ｂｌ、Ｂ２　ウェブストランド
　Ｆ　搬送方向
　Ｐ　印刷製品
【図１】
2004075391.tif 000003
【図２】
2004075391.tif 000004
【図３】
2004075391.tif 000005
【図４】
2004075391.tif 000006